(57)【要約】      （修正有）【課題】遮熱シートを配設する外壁通気層構法において、遮熱機能を有効に働かせつつ、通気層内にこもる熱や湿気を外部へ確実に排出することが可能な遮熱断熱壁構造を提供する。【解決手段】遮熱断熱壁構造４０は、躯体に組み込まれる断熱材３５と、断熱材の外側に配置される透湿防水シート４７と、透湿防水シート４７の外側に配置される遮熱シート４９と、外気流入口と流出口とを有し、遮熱シート４９と透湿防水シート４７との間及び遮熱シート４９と外壁材４１との間にそれぞれ通気のための空間として確保される第１及び第２の通気層６０Ａ，６０Ｂとを備える。第１及び第２の通気層６０Ａ，６０Ｂ内には、例えば外気流入口６０ａ１、６０ａ２側に、通気層６０Ａ，６０Ｂ内での対流を抑制して通気層６０Ａ，６０Ｂ内の湿気を外部に排出可能にするポリエステル断熱材４２Ａ，４２Ｂが配設される。【選択図】図４
0003207304.tif 000002
【実用新案登録請求の範囲】
【請求項１】
躯体に組み込まれる断熱材と、
前記断熱材の外側に配置され、内側からの湿気を外側へ透過させて、外側から内側への水の侵入を防止する透湿防水シートと、
前記透湿防水シートの外側に配置され、外側からの熱を遮断する遮熱シートと、
外気流入口と流出口とを有し、前記遮熱シートと前記透湿防水シートとの間に通気のための空間として確保される第１の通気層と、
外気流入口と流出口とを有し、前記遮熱シートとその外側に配置される外壁材との間に通気のための空間として確保される第２の通気層と、
を備え、
前記第１及び第２の通気層内には、前記外気流入口側及び前記流出口側のうちの少なくとも一方側に、外気の流入を抑制して対流を起こすことなく空気の滞留を許容する空気滞留層を形成して前記通気層内の湿気を外部に排出可能にするポリエステル断熱材が配設されることを特徴とする遮熱断熱壁構造。
【請求項２】
前記ポリエステル断熱材は、３００ｍｍの高さと、対応する前記通気層の厚さ寸法に応じた厚さとを有することを特徴とする請求項１に記載の遮熱断熱壁構造。
【請求項３】
前記ポリエステル断熱材は、前記通気層内に空間を確保するためのスペーサとして機能することを特徴とする請求項１又は２に記載の遮熱断熱壁構造。
【請求項４】
前記第１及び第２の通気層の前記流出口は、前記躯体の上部に組み付けられる屋根に設けられる換気材と連通して、前記換気材を通じて前記通気層内の湿気及び／又は熱を外部へ排出させることを特徴とする請求項１から３のいずれか一項に記載の遮熱断熱壁構造。
【考案の詳細な説明】
【技術分野】
【０００１】
本考案は、各種家屋に設置される断熱壁構造に関し、特に、断熱材の外側に透湿防水シート、遮熱シート及び通気層が積層されて成る遮熱断熱壁構造に関する。
【背景技術】
【０００２】
一般に、家屋、特に木造家屋では、断熱壁構造を成す外壁を施工するにあたり、非特許文献１に開示されるような外壁通気層構法が採用される場合がある。通常、このような外壁通気層構法では、断熱材の外側に透湿防水シートと通気層とが順次に積層して形成される。
【０００３】
具体的には、躯体を構成する柱や間柱に、又は、躯体を構成する柱や間柱の外側に配置される板状の耐力面材の外表面に、家屋内部からの湿気を外部へ透過させ且つ家屋外部から家屋内部への水の侵入を防止する透湿防水シートが配設されるとともに、透湿防水シートの外側に通気層が形成される。また、通気層は、一般に、透湿防水シートと最外層の外壁仕上げ材との間に通気胴縁が介在される（透湿防水シートの外側に通気胴縁が所定の間隔を隔てて配設される）ことによって外壁仕上げ材と透湿防水シートとの間に通気のための空間として確保される。
【０００４】
このような外壁通気層構法によれば、外壁の裏側（内側）に発生する熱気、冷気、湿気を、通気層を通じて排出できるため、家屋の構造躯体への悪影響（躯体の劣化など）を軽減できる。
【０００５】
また、このような外壁通気層構法では、透湿防水機能に加えて遮熱機能も付加するべく、前述の透湿防水シートに加えて、遮熱シートを使用する場合がある。通常、遮熱シートは、輻射熱を止めると共に、透水率が低い構造（透水率が０％のものも存在する）となっている。
【先行技術文献】
【非特許文献】
【０００６】
【非特許文献１】HYPERLINK "http://www.tyvek.co.jp/construction/reference/" http://www.tyvek.co.jp/construction/reference/
【考案の概要】
【考案が解決しようとする課題】
【０００７】
ところで、透湿防水シートの外側に通気層を配設した外壁通気層構法において遮熱シートも付加しようとすると、上記したように、遮熱シートは透水率が極めて低い特徴を有することから、その表面領域で結露が生じてしまう。したがって、結露が発生しないように、遮熱シートの両面側には、通気層を配設しておくことが好ましい。
【０００８】
しかし、一般的な外壁通気層構法に伴う断熱壁構造（透湿防水シートの内側に断熱材を有する内断熱壁構造）では、例えば通気層の下部（外気流入口）から外気の熱気や冷気が侵入することにより、通気層内において対流が発生するという問題が生じる。そして、通気層内において対流が起こると、侵入した熱気や冷気が熱伝導によって構造躯体に伝わってしまい、折角、遮熱シートを配設したとしても、その遮熱機能が有効に働かなくなってしまう。無論、このような対流は、通気層の存在に伴う外気の流通に起因するが、通気層がなければ（対流を生じさせない静止空気層が透湿防水シートと外壁仕上げ材との間に存在すると）、家屋内部から透湿防水シートを通じて透過した湿気を外部へ排出することが難しくなる。
【０００９】
すなわち、外壁通気層構法においては、透湿防水シートに加えて遮熱シートを用いる場合、結露を生じさせないように二重の通気層を配設する必要があるが、そのような遮熱断熱壁構造では、各通気層内で生じる対流に起因して遮熱シートの遮熱機能が有効に働き難い反面、各通気層の空気流通機能が有効に働かなければ、家屋内部から透湿防水シートを通じて透過した湿気、外壁を通じて透過した湿気、及び通気層内にこもる熱を外部へ排出することが難しくなるという問題が生じる。
【００１０】
本考案は、上記した問題に着目してなされたものであり、遮熱シートを配設する外壁通気層構法において、遮熱機能を有効に働かせつつ、通気層内にこもる熱や湿気を外部へ確実に排出することが可能な遮熱断熱壁構造を提供することを目的とする。
【課題を解決するための手段】
【００１１】
上記した目的を達成するために、本考案の遮熱断熱壁構造は、躯体に組み込まれる断熱材と、前記断熱材の外側に配置され、内側からの湿気を外側へ透過させて、外側から内側への水の侵入を防止する透湿防水シートと、前記透湿防水シートの外側に配置され、外側からの熱を遮断する遮熱シートと、外気流入口と流出口とを有し、前記遮熱シートと前記透湿防水シートとの間に通気のための空間として確保される第１の通気層と、外気流入口と流出口とを有し、前記遮熱シートとその外側に配置される外壁材との間に通気のための空間として確保される第２の通気層と、を備え、前記第１及び第２の通気層内には、前記外気流入口側及び前記流出口側のうちの少なくとも一方側に、外気の流入を抑制して対流を起こすことなく空気の滞留を許容する空気滞留層を形成して前記通気層内の湿気を外部に排出可能にするポリエステル断熱材が配設されることを特徴とする。
【００１２】
上記した遮熱断熱壁構造（透湿防水シートの内側に断熱材を有する内断熱壁構造）によれば、遮熱シートを配設することで十分な遮熱効果が発揮できるとともに、遮熱シートの両側に第１の通気層と第２の通気層が存在することで結露を効果的に防止することができる。そして、外気流入口側及び流出口側のうちの少なくとも一方側で、第１及び第２の通気層内に配設したポリエステル断熱材により、第１及び第２の通気層内での対流を抑制できる一方で、第１及び第２の通気層内に溜まる湿気（内側から透湿防水シートを透過してくる湿気、及び、外壁を透過してくる湿気）を外部に排出することができる。すなわち、ポリエステル断熱材は、断熱しかつ、排熱、排湿性に優れた機能を備えており、第１及び第２の通気層に対する外気の流入（第１及び第２の通気層内への熱気や冷気の侵入）を抑制して、空気の滞留を許容する空気滞留層を第１及び第２の通気層内に形成し、これらの通気層内での対流を抑制する。
【００１３】
したがって、上記のようなポリエステル断熱材によって第１及び第２の通気層内での対流が抑制されれば、熱伝導による構造躯体への熱移動が行なわれず、そのため、遮熱シートの遮熱機能を有効に働かせることができる。そして、その一方で、ポリエステル断熱材の排湿機能により、対流を抑制しつつも、第１及び第２の通気層内に溜まる湿気を外部へ確実に排出することができる。すなわち、本考案において用いられるポリエステル断熱材によれば、第１及び第２の通気層による排湿・排熱機能を損なうことなく（第１及び第２の通気層内に溜まる湿気及び第１及び第２の通気層内にこもる熱をこれらの通気層を通じて外部へ確実に排出できるようにして）、第１及び第２の通気層内での対流を抑制しつつ、遮熱シートの遮熱機能を有効に働かせることができる。また、上記した構成では、遮熱シートの両側にこれを挟むように第１及び第２の通気層が設けられているため、遮熱シート部分での結露を効果的に抑制することができる。
【００１４】
なお、上記構成において、「内側」とは、躯体側（家屋内側）を意味し、「外側」とは、外部側（家屋外側）を意味する。また、上記構成において、透湿防水シートは、例えば、躯体を構成する柱や間柱に配設されてもよく、又は、躯体を構成する柱や間柱の外側に配置される板状の耐力面材の外表面に配設されてもよい。また、上記構成において、ポリエステル断熱材は、その汚れを最小限に抑えることができるように、外気流入口及び／又は流出口から所定の距離（例えば５０ｍｍ）を隔てて対応する通気層内に配設されることが好ましい。
【考案の効果】
【００１５】
本考案によれば、遮熱シートを配設する外壁通気層構法において、遮熱機能を有効に働かせつつ、通気層内にこもる熱や湿気を外部へ確実に排出することが可能な遮熱断熱壁構造が得られる。
【図面の簡単な説明】
【００１６】
【図１】本考案の一実施形態に係る遮熱断熱壁構造を設置した住宅の概略断面図。
【図２】図１のII-II線に沿う断面図。
【図３】図１に示される遮熱断熱壁構造を外側から見た部分的な断面斜視図。
【図４】図１に示される遮熱断熱壁構造の要部拡大断面図。
【考案を実施するための形態】
【００１７】
以下、図面を参照しながら本考案に係る遮熱断熱壁構造（内断熱構造）の実施形態について説明する。
図１〜図３に示すように、本実施形態に係る遮熱断熱壁構造４０は、木造家屋（木造軸組構造の建物）１の外壁部分に施工される。
【００１８】
木造家屋１は、コンクリート等によって構成される基礎３上に、木材で構成される土台５及び各土台５間を連結する大引５ａを設置し、各土台５上に所定間隔をおいて上下方向に延在する複数の柱７を設置して構成される。そして、柱７と柱７との間には、間柱７ａが設置され、柱７と間柱７ａとの間の壁体内、或いは、間柱７ａと間柱７ａとの間の空間には、筋交い（図示せず）が連結されるとともに、断熱材（内断熱材）３５が充填して配設されている。
【００１９】
このような断熱材３５としては、一般的な内断熱工法で用いられる発泡プラスチック系の材料、例えば、ＥＰＳ（Expanded Poly-Styrene）ボードや、硬質ウレタンフォーム、グラスウール等で構成することが可能である。また、このような断熱材３５については、その肉厚Ｔが薄すぎると断熱性が低下することから、５０ｍｍ〜１００ｍｍ程度（例えば１００ｍｍ）の肉厚Ｔのものを用いるのが好ましい。なお、基礎３の外側には、断熱部材４ａを介在してモルタル４が装着されている。
【００２０】
土台５及び大引５ａ上には、多数の根太９が載せられ、その上に合板１０が敷かれ、その上に床仕上げ材（図示せず）が貼られて、１階の床部分が施工される。また、床部分である各根太９間には、必要に応じて断熱材１１が充填される。なお、図示しないが、２階建ての躯体構造では、１階の床部分と同様、柱７（間柱７ａ）の中間部分に、多数の床梁を連結しておき、その上に合板及び床仕上げ材が貼られて２階床部分が施工され、その下に天井下地材及び天井仕上げ材が貼られて、１階の天井部分が施工される。
【００２１】
柱７及び間柱７ａの上端側には、天井下地材１２が連結され、その下面に天井材１３が貼られて家屋の天井が施工される。また、柱７及び間柱７ａの上端側には、軒桁１５及び小屋梁１６が設置され、必要に応じて、その上面に板状の断熱材１７が設置される。
【００２２】
家屋の屋根２０は、傾斜配設される多数の垂木２１と、垂木２１の表面に装着される野地合板２２とを有する。この野地合板２２の裏面側には、例えば、通気性を有する塩化ビニールやプラスチック等によって構成される屋根裏換気材２３が取着されると共に、その表面側には、例えば、通気性を有するポリプロピレン等によって構成される屋根通気材２４が取着されている。そして、屋根通気材２４の表面には、防水シート（例えば、アスファルトルーフィング）２４ａが取着され、その表面に外装材（屋根材）２５が取着されて屋根２０が構成される。なお、図示しないが、垂木２１の下面には遮熱材（例えば厚みが８ｍｍ）が取着されてもよい。
【００２３】
屋根裏換気材２３は、住宅内部の湿気や、後述する第１及び第２の通気層６０Ａ，６０Ｂ内に入り込んだ湿気、或いは、熱を矢印Ａ２，Ａ３で示すように、外部（屋根の頂部）に向けて掃気する機能を有し、屋根通気材２４は、矢印Ａ４で示すように、屋根側に掃気する機能を有する。
【００２４】
木造家屋１の室内表面は、柱７（間柱７ａ）の内側面に板状の内壁材（内部石膏ボード）３０（例えば約１２ｍｍ厚）を配設することで構成される。この場合、内壁材３０の外側（外壁側）表面には、防湿気密シート３１を貼付しておくことが好ましく、内壁材３０の内側（室内側）の表面には、図示しない内部クロス（壁紙）が貼付される。
【００２５】
以上のような屋根２０を伴う躯体構造を構成する柱７（間柱７ａ）の外側面には、以下のように構成される遮熱断熱壁構造（内断熱壁構造）４０が施工される。この遮熱断熱壁構造４０は、特に図４に拡大して示されるように、躯体に組み込まれる前述した断熱材３５と、躯体を構成する柱７や間柱７ａの外側面に配置される例えば厚さが９ｍｍの板状の耐力面材４６と、耐力面材４６の外側（室外側）の全面にわたって貼付される透湿防水シート４７と、透湿防水シート４７の外側に全面にわたって配置される遮熱シート４９と、透湿防水シート４７と遮熱シート４９との間に通気のための空間として確保される第１の通気層６０Ａと、遮熱シート４９とその外側に配置される（外部に露出する）板状の外壁材４１との間に通気のための空間として確保される第２の通気層６０Ｂとを備える。すなわち、遮熱シート４９の両側には、室内側に第１の通気層６０Ａが、室外側に第２の通気層６０Ｂが配設された構造となっている。
【００２６】
特に、本実施形態では、第１の通気層６０Ａは、透湿防水シート４７と遮熱シート４９との間に通気胴縁５１Ａが介在される（透湿防水シート４７の外側に通気胴縁５１Ａが所定の間隔を隔てて配設される）ことによってこれらの通気胴縁５１Ａ間に形成される。また、第２の通気層６０Ｂも、遮熱シート４９と最外層の外壁材４１との間に通気胴縁５１Ｂが介在される（遮熱シート４９の外側に通気胴縁５１Ｂが所定の間隔を隔てて配設される）ことによってこれらの通気胴縁５１Ｂ間に形成される。
【００２７】
前記外壁材４１は、例えば、窯業系、金属系、タイル等によって構成される。また、透湿防水シート４７は、内側からの湿気を外側へ透過させて（図４の矢印Ａ５参照）、外側から内側への水の侵入を防止する（図４の矢印Ａ６参照）機能を備えたシートであり、例えばダウケミカル社製のウェザーメイトプラスによって構成することが可能である。また、遮熱シート４９は、外側からの熱（輻射熱）を遮断する（図４の矢印Ａ７参照）機能を備えたシートであり、例えば米国遮熱材製造会社製の遮熱シートによって構成することが可能である。
【００２８】
また、第１及び第２の通気層６０Ａ，６０Ｂはそれぞれ、基礎３付近に位置して下側に設けられる外気流入口６０ａ１，６０ａ２と、躯体の上部に組み付けられる前述した屋根２０に配設される前記屋根裏換気材２３と連通する上側の流出口６０ｂ１，６０ｂ２とを有する。また、第１及び第２の通気層６０Ａ，６０Ｂ内にはそれぞれ、外気流入口６０ａ１，６０ａ２側、及び、流出口６０ｂ１，６０ｂ２側のうちの少なくとも一方側に、第１及び第２の通気層６０Ａ，６０Ｂ内での対流を抑制してこれらの通気層６０Ａ，６０Ｂ内の湿気を外部に排出できるようにする断熱材４２Ａ，４２Ｂが配設される。これらの断熱材４２Ａ，４２Ｂは、断熱しかつ、排熱、排湿する材料で構成されるものであればよく、特に、本実施形態では、これらの断熱材４２Ａ，４２Ｂが図示のように外気流入口６０ａ１，６０ａ２側にのみ配設される。
【００２９】
本実施形態において、前記断熱材４２Ａ，４２Ｂは、耐腐食性に優れた水はけが良く（通水性及び排湿性に優れる）、低コストで取り扱いが容易なポリエステル素材によって形成されており、このような素材の断熱材（ポリエステル断熱材）によれば、外気流入口６０ａ１，６０ａ２を通じた第１及び第２の通気層６０Ａ，６０Ｂ内への外気の流入（第１及び第２の通気層６０Ａ，６０Ｂ内への熱気や冷気の侵入）を抑制（図４の矢印×参照）して、空気の滞留を許容する空気滞留層５０Ａ，５０Ｂを第１及び第２の通気層６０Ａ，６０Ｂ内（特に断熱材４２Ａ，４２Ｂよりも上側の第１及び第２の通気層６０Ａ，６０Ｂ内）に形成することが可能となる。すなわち、それぞれの通気層内において、空気滞留層５０Ａ，５０Ｂが形成されることによって、第１及び第２の通気層６０Ａ，６０Ｂ内での対流を抑制する機能を発揮するようになる。
【００３０】
この場合、断熱材４２Ａ，４２Ｂは、標準的なもの（ポリエステル素材で構成されたポリエステルフィルタとも称される）を用いることが可能であり、例えば３００ｍｍの高さＬ１と、対応する通気層６０Ａ（６０Ｂ）の厚さ寸法に応じた厚さＷ１，Ｗ２とを有している。例えば、通気層６０Ａ（６０Ｂ）の厚さが１８ｍｍである場合には、それに対応する断熱材４２Ａ（４２Ｂ）の厚さＷ１（Ｗ２）が２５．４ｍｍなど、断熱材４２Ａ，４２Ｂは、それに対応する通気層６０Ａ（６０Ｂ）の厚さよりも若干厚い肉厚のものを用いれば良く、室内側から耐力面材４６を通過する湿気や外壁材４１を通過した湿気を外気流入口６０ａ１，６０ａ２を通じて効果的に排出する（図１及び図４の矢印Ａ１参照）機能を有する。また、断熱材４２Ａ，４２Ｂは、その汚れを最小限に抑えることができるように、外気流入口６０ａ１，６０ａ２から所定の距離Ｌ２（例えば５０ｍｍ）を隔てて通気層６０Ａ（６０Ｂ）内に配設することが好ましい。なお、通気層６０Ａ（６０Ｂ）及び断熱材４２Ａ，４２Ｂの各厚さＷ１，Ｗ２については、厚すぎると、断熱性が低下し、薄すぎると、排湿・排熱が十分でなくなるため、それぞれ１５〜１８ｍｍ程度の範囲であることが好ましい。勿論、各厚さＷ１，Ｗ２は同じでなくても良く、距離Ｌ２についても同じでなくても良い。
【００３１】
また、断熱材４２Ａ，４２Ｂの上下方向の高さＬ１については、外気流入口６０ａ１，６０ａ２を通じて通気層６０Ａ（６０Ｂ）内へ熱気や冷気が侵入することを効果的に防止できればよく、そのような効果を得るためには３００ｍｍの高さが望ましいが、通気層６０Ａ（６０Ｂ）の厚みに応じて変えることも可能である。例えば、通気層６０Ａ（６０Ｂ）の厚みが薄くなればその高さについては低く設定しても良い。勿論、高さＬ１についても、両通気層内で同じでなくても良い。
【００３２】
また、断熱材４２Ａ，４２Ｂは、透湿防水シート４７と遮熱シート４９との間及び遮熱シート４７と外壁材４１との間に介挿されて第１及び第２の通気層６０Ａ，６０Ｂ内に空間を確保するためのスペーサとして機能することが好ましい。このように、スペーサとして機能できれば、通気胴縁５１Ａ，５１Ｂと協働して或いは通気胴縁５１Ａ，５１Ｂを介在させることなく通気空間を確保して（第１及び第２の通気層６０Ａ，６０Ｂの厚さを維持できる）十分な排湿・排熱機能を果たすことができるとともに、遮熱シート４９が透湿防水シート４７に密着しないようにする、及び、外壁材４１が遮熱シート４９に密着しないようにすることもできる。或いは断熱材４２Ａ，４２Ｂについては、単体構造として遮熱シート４９と透湿防水シート４７との間及び遮熱シート４９と外壁材４１との間に介挿される以外にも、断熱材を、ホルダ（フレーム）や骨材などの各種の保持部材に保持しておき、その保持部材を両者の間に介挿する構造であっても良い。
【００３３】
なお、以上のように構成される遮熱断熱壁構造４０は、外壁部分において、窓等の開口部６８（図２参照）以外の領域の全面に亘って配設することができる。
【００３４】
以上説明したように、本実施形態に係る遮熱断熱壁構造４０（透湿防水シート４７の内側に断熱材を有する内断熱壁構造）によれば、第１及び第２の通気層６０Ａ，６０Ｂ内に配設される断熱材４２Ａ，４２Ｂにより、第１及び第２の通気層６０Ａ，６０Ｂ内での対流を抑制できる一方で、第１及び第２の通気層６０Ａ，６０Ｂ内に溜まる湿気（内側から透湿防水シート４７を透過してくる湿気、外壁を透過してくる湿気）を外部に効果的に排出することができる。特に、本実施形態の断熱材４２Ａ，４２Ｂは、耐腐食性に優れた水はけの良いポリエステル素材から形成されると共に、外気が流入し易い外気流入口６０ａ１，６０ａ２側に配置されることにより、外気流入口６０ａ１，６０ａ２を通じた通気層６０Ａ，６０Ｂ内への外気の流入（通気層６０Ａ，６０Ｂ内への熱気や冷気の侵入）を抑制して、空気の滞留を許容する空気滞留層５０Ａ，５０Ｂを断熱材４２Ａ，４２Ｂよりも上側の通気層６０Ａ，６０Ｂ内に形成することができ、通気層６０Ａ，６０Ｂ内での対流を効果的に抑制することができる（通気層６０Ａ，６０Ｂ内に空気滞留層５０Ａ，５０Ｂを形成することにより通気層６０Ａ，６０Ｂ内での対流の発生を効果的に抑制できる）。
【００３５】
また、このように、断熱材４２Ａ，４２Ｂによって通気層６０Ａ，６０Ｂ内での対流が抑制できれば、熱伝導による構造躯体への熱移動が行なわれず、そのため、遮熱シート４９の遮熱機能を有効に働かせることができ、一方、断熱材４２Ａ，４２Ｂの排湿機能により、対流を抑制しつつも、通気層６０Ａ，６０Ｂ内に溜まる湿気を、外気流入口６０ａ１，６０ａ２を通じて外部へ確実に排出できる。すなわち、本実施形態の断熱材４２Ａ，４２Ｂによれば、第１及び第２の通気層６０Ａ，６０Ｂによる排湿機能を損なうことなく、第１及び第２の通気層６０Ａ，６０Ｂ内での対流を抑制しつつ、遮熱シート４９の遮熱機能を有効に働かせることができる。
また、上記構成では、遮熱シート４９の両側にこれを挟むように第１及び第２の通気層６０Ａ，６０Ｂが設けられているため、結露を効果的に抑制することができる。
【００３６】
なお、本実施形態において、通気層６０Ａ，６０Ｂ内に溜まる湿気は、断熱材４２Ａ，４２Ｂを通じて外気流入口６０ａ１，６０ａ２から外部へ排出される（図１及び図４の矢印Ａ１参照）以外に、流出口６０ｂ１，６０ｂ２を通じて屋根裏換気材２３からも外部へと排出される（図１及び図４の矢印Ａ２，Ａ３参照）。また、流出口６０ｂ１，６０ｂ２からは、前述したように通気層６０Ａ，６０Ｂ内にこもる熱も換気材２３を通じて排出されるようになっている。このように、通気層６０Ａ，６０Ｂの流出口６０ｂ１，６０ｂ２を躯体の上部に組み付けられる屋根２０に設けられる換気材２３と連通させれば、換気材２３を通じて通気層６０Ａ，６０Ｂ内の湿気及び／又は熱を外部へ排出することができ、断熱材４２Ａ，４２Ｂと併せて通気層６０Ａ，６０Ｂにおける排熱・排湿機能を格段に向上させることができる。
【００３７】
以上、本考案の実施形態について説明したが、本考案は、上記した実施形態に限定されることはなく、種々変形することが可能である。例えば、前述した実施形態では、断熱材３５に加えて、通気層６０Ａ，６０Ｂの外側に断熱材が更に配置されてもよい。すなわち、本考案は、内断熱構造に加え、外断熱構造を組み合わせた複合構造においても適用可能である。また、前述した実施形態では、断熱材４２Ａ，４２Ｂが通気層６０Ａ，６０Ｂの外気流入口６０ａ１，６０ａ２側のみに配設されているが、断熱材４２Ａ，４２Ｂが通気層６０Ａ，６０Ｂの流出口６０ｂ１，６０ｂ２側にのみ配設されてもよく、或いは、外気流入口６０ａ１，６０ａ２側、及び流出口６０ｂ１，６０ｂ２側の両方に断熱材４２Ａ，４２Ｂが配設されても構わない。また、前述した実施形態では、断熱材４２Ａ，４２Ｂがポリエステル素材により形成されるが、通気層６０Ａ，６０Ｂ内での対流を抑制して通気層６０Ａ，６０Ｂ内の湿気を外部に排出できれば、断熱材４２Ａ，４２Ｂの素材については特に限定されることはなく、たとえばスポンジ状のスペーサとして構成されていても良い。また、第１の通気層６０Ａと第２の通気層６０Ｂは、その厚さ等が同じであっても良く或いは異なっていてもよい。
【００３８】
また、前述した実施形態の遮熱断熱壁構造は、木造家屋の木造軸組構造の外壁部分に適用されたが、本考案は、それ以外の建物、例えば、木造枠組み工法（２×４工法）の建物にも適用することが可能である。
【符号の説明】
【００３９】
２３  屋根裏換気材（換気材）
３５  断熱材
４０  遮熱断熱壁構造
４１  外壁材
４２Ａ，４２Ｂ  断熱材（ポリエステル断熱材）
４７  透湿防水シート
４９  遮熱シート
５０Ａ，５０Ｂ  空気滞留層
６０Ａ  第１の通気層
６０Ｂ  第２の通気層
６０ａ１，６０ａ２  外気流入口
６０ｂ１，６０ｂ２  流出口
【図１】
0003207304.tif 000003
【図２】
0003207304.tif 000004
【図３】
0003207304.tif 000005
【図４】
0003207304.tif 000006